(57)【要約】【課題】洗車中の洗浄液やブラシの動きに応じて変化する発光や照明を利用して洗車工程のショーアップ効果を発揮可能な洗車機を提供する。【解決手段】洗車機本体１にブラックライト９を配設し、選択可能な洗車モードの中に、蛍光剤入りの特殊洗剤を用いた特殊洗浄コースを備え、この特殊洗浄コースが選択された時に、特殊洗剤を用いた洗車を行うと共に、所定のタイミングでブラックライト９を点灯する構成の洗車機ＷＡＡとした。【選択図】図１
2011046330.tif 000002
【特許請求の範囲】
【請求項１】
洗車機本体と被洗浄車両とを前後方向に相対移動させながら、予め設定される洗車モードに応じた洗車を行う洗車機であって、
洗車機本体にブラックライトを配設し、選択可能な洗車モードの中に、蛍光剤入りの特殊洗剤を用いた特殊洗浄コースを備え、この特殊洗浄コースが選択された時に、前記特殊洗剤を用いた洗車を行うと共に、所定のタイミングで前記ブラックライトを点灯することを特徴とする洗車機。
【請求項２】
前記洗車機本体が被洗浄車両を跨ぐように門型とされており、前記ブラックライトをこの門型の３面に当る左右両側部と上面部に配設したことを特徴とする請求項１に記載の洗車機。
【請求項３】
前記特殊洗浄コースの後で水を噴霧して水洗いを行うすすぎ工程を備え、前記特殊洗浄コースの開始と共に前記ブラックライトを点灯し、すすぎ工程が開始されてから所定時間経過後に、前記ブラックライトを消灯することを特徴とする請求項１または２に記載の洗車機。
【請求項４】
洗車機本体に通常の照明装置を配設し、前記ブラックライトが点灯しているときには、前記通常の照明装置を消灯するかもしくは暗くすることを特徴とする請求項１から３のいずれかに記載の洗車機。
【請求項５】
周囲環境の明るさを検知する照度センサを設け、該照度センサが検知する照度が所定照度以下となったときに、前記特殊洗浄コースの選択を許可することを特徴とする請求項１から４のいずれかに記載の洗車機。
【請求項６】
前記ブラックライトを点滅させることを特徴とする請求項１から５のいずれかに記載の洗車機。
【発明の詳細な説明】
【技術分野】
【０００１】
本発明は、被洗浄車両と洗車機本体を前後方向に相対移動させながら洗車を行う洗車機に関し、特に、洗車中にショーアップ効果を発揮する洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴霧して洗車を行う構成とされている。また、液剤や洗浄水を噴霧しながらブラッシングして洗浄することや、洗浄後に風を吹き付けて乾燥することが行われている。
【０００３】
洗浄工程においては、先ず、洗浄水を用いて汚れを落とし、次いで液剤を用いて洗浄し、さらに洗浄水を用いて水洗いする。この洗浄工程の後で、各送風ノズルから送風して乾燥する乾燥工程が行われる。洗車の際に用いる液剤としては、各種のシャンプーやワックスやコート類が用いられており、それぞれ専用の貯液タンクに貯留され、タンク内に挿入されたチューブを介して、洗車工程の処理に応じて噴霧され消費される。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
操作パネルやリモートパネルを備える洗車機の一例について図４を用いて説明する。この洗車機ＷＡは、複数のブラシを備える洗浄部材と、ブロワと複数の送風ノズルを備える乾燥部材とを一体に装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両へ噴霧して、前記被洗浄車両の洗車を行う。
【０００５】
例えば、洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル７もしくは洗車機本体１から離れた位置に設置するリモートパネル７Ａに、所望の洗車モードを設定し、スタートボタンを操作して、洗車操作を開始する。
【０００６】
門型の洗車機本体１は、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部の足回りを洗浄する左右一対のロッカーブラシ６を備えている。
【０００７】
また、ブラッシングの際に使用する洗浄水や各種液剤を噴霧する各種ノズルや各種液剤を貯液する貯液タンクを備えている。各種液剤を貯液する複数の貯液タンクは、洗車機本体１に設けられるタンク収納部５０に収納されており、電磁式のバルブと副給水ホースを備える分配配管部５１を介して各ノズルに分配している。液剤や洗浄水を噴霧するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【０００８】
さらに、乾燥のために、ブロワ２０と該ブロワ２０からの送風を吹き付ける昇降自在なトップ送風ノズル２１と左右一対のサイド送風ノズル２２を備えている。また、洗車機本体１に配設する操作パネル７、もしくは、洗車機本体１から離れた位置に設置するリモートパネル７Ａを介して、洗車機ＷＡの駆動条件を設定し、設定された条件に基づいて洗車機ＷＡを駆動する構成としている。８は、被洗浄車両ＣＡの有無および車高を検知するセンサであって、例えば、光電センサや超音波を利用したソニックセンサが好適に用いられる。
【０００９】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００１０】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００１１】
上記した洗車機ＷＡにおいては、各種ノズルの噴射タイミングを変更したり各種ブラシの操作タイミングや回転速度を変更したりして洗車工程のショーアップ効果を図ることができる。また、洗車機本体の移動速度を変更することでも洗車工程のショーアップ効果を図ることが可能である。
【００１２】
しかし、ショー効果をアピールするために低速洗車を行う場合に、各種ブラシの回転速度が同じ速度であれば洗浄効果が向上しているかどうか疑問視される。そのために、ショー効果をアピールするために低速洗車を行う際に、車両の形状を検出して、ノズルやブラシを車両により接近させ、また、ブラシの回転速度を速くして洗浄力が向上していることをアピールする洗車機（例えば、特許文献１参照）が既に提案されている。
【先行技術文献】
【特許文献】
【００１３】
【特許文献１】特開２００５−５３３７０号公報
【発明の概要】
【発明が解決しようとする課題】
【００１４】
各種ノズルの噴射タイミングや、各種ブラシの回転速度などを変化させて洗車工程のショーアップ効果を図ることは可能である。しかし、周囲が暗い状況では、発光状態を変更することでもショーアップ効果を容易に図ることができる。特に、夜間においては、各種ノズルの噴射タイミングや、各種ブラシの回転速度などを変化させても、その変化を容易に視認することはできず、光の濃淡を変えたり、流れるような発光照明をすることのほうが、より幻想的なショーアップ効果を図るために有効である。
【００１５】
また、洗車の際には、洗浄ノズルから水や液剤を噴霧して、回転ブラシを用いて被洗浄車両の車体表面を洗浄するので、噴霧されて泡状に付着する洗浄液や流れ落ちる洗浄液の動きや、回転するブラシの動きに応じて発光状態を変化させることがショーアップ効果につながる。
【００１６】
そのために、泡状に付着する洗浄液や流れ落ちる洗浄液やブラシの動きなどに応じて変化するように発光照明して洗車工程のショーアップ効果を発揮する機能を備える洗車機が望まれる。
【００１７】
本発明は、上記問題点に鑑み、洗車中の洗浄液やブラシの動きに応じて変化する発光や照明を利用して洗車工程のショーアップ効果を発揮可能な洗車機を提供することを目的とする。
【課題を解決するための手段】
【００１８】
上記目的を達成するために本発明は、洗車機本体と被洗浄車両とを前後方向に相対移動させながら、予め設定される洗車モードに応じた洗車を行う洗車機であって、洗車機本体にブラックライトを配設し、選択可能な洗車モードの中に、蛍光剤入りの特殊洗剤を用いた特殊洗浄コースを備え、この特殊洗浄コースが選択された時に、前記特殊洗剤を用いた洗車を行うと共に、所定のタイミングで前記ブラックライトを点灯することを特徴としている。
【００１９】
この構成によると、特殊洗浄コースが選択されると蛍光剤入りの特殊洗剤を含む洗浄液を車両表面に噴霧して洗浄を行うので、ブラックライトを照射することで、噴霧されて泡状に付着したり流れ落ちたりする洗浄液の動きや回転ブラシによって弾き飛ばされる洗浄液の動きに応じて変化する青白い蛍光を発色して、幻想的なショーアップ効果を図ることが可能な洗車機を得ることができる。
【００２０】
また本発明は、上記構成の洗車機において、前記洗車機本体が被洗浄車両を跨ぐように門型とされており、前記ブラックライトをこの門型の３面に当る左右両側部と上面部に配設したことを特徴としている。この構成によると、車両の両側面と上面との３面にブラックライトを照射することができるので、車両表面に付着したり流れ落ちたりする蛍光剤を含む洗浄液を介して、車両外観に沿った表面を青白く浮かび上がらせることができる。
【００２１】
また本発明は、上記構成の洗車機において、前記特殊洗浄コースの後で水を噴霧して水洗いを行うすすぎ工程を備え、前記特殊洗浄コースの開始と共に前記ブラックライトを点灯し、すすぎ工程が開始されてから所定時間経過後に、前記ブラックライトを消灯することを特徴としている。この構成によると、水洗いするすすぎ状態でもブラックライトを点灯するので、車両表面および床面に沿って流れる蛍光剤を青白く発光させてショーアップ効果を発揮することができる。
【００２２】
また本発明は、上記構成の洗車機において、洗車機本体に通常の照明装置を配設し、前記ブラックライトが点灯しているときには、前記通常の照明装置を消灯するかもしくは暗くすることを特徴としている。この構成によると、蛍光剤の発光をより効果的に視認することができ、さらに効果的なショーアップ効果を発揮することができる。
【００２３】
また本発明は、上記構成の洗車機において、周囲環境の明るさを検知する照度センサを設け、該照度センサが検知する照度が所定照度以下となったときに、前記特殊洗浄コースの選択を許可することを特徴としている。この構成によると、蛍光剤の発光を視認困難な明るさでは、特殊洗浄コースを許可しないので、蛍光剤入りの特殊洗剤の効率的活用が図れ、ユーザーに余分な出費を負担させない洗車機となる。
【００２４】
また本発明は、上記構成の洗車機において、前記ブラックライトを点滅させることを特徴としている。この構成によると、青白く発光させる面を連続的に、また断続的に変化させて、効果的なショーアップ効果を発揮することができる。
【発明の効果】
【００２５】
本発明によれば、洗車機本体にブラックライトを配設し、選択可能な洗車モードの中に、蛍光剤入りの特殊洗剤を用いた特殊洗浄コースを備え、この特殊洗浄コースが選択された時に、蛍光剤入りの特殊洗剤を用いた洗車を行うと共に、所定のタイミングでブラックライトを点灯する構成の洗車機としたので、噴霧されて泡状に付着したり流れ落ちたりする洗浄液の動きや回転ブラシによって弾き飛ばされる洗浄液の動きに応じて変化する青白い蛍光を発色して、幻想的なショーアップ効果を図ることができ、洗車中の洗浄液やブラシの動きに応じて変化する発光や照明を利用して洗車工程のショーアップ効果を発揮可能な洗車機を得ることができる。
【図面の簡単な説明】
【００２６】
【図１】本発明に係る洗車機の概略全体図である。
【図２】本発明に係る洗車機の概略正面図である。
【図３】本発明に係る洗車機を設置した洗車場の概略平面図を示す。
【図４】洗車機の全体構成を示す概略説明図である。
【発明を実施するための形態】
【００２７】
以下に本発明の実施形態を図面を参照して説明する。また、同一構成部材については同一の符号を用い、詳細な説明は適宜省略する。
【００２８】
図１に示す本実施形態の洗車機ＷＡＡは、前述した洗車機ＷＡと同じ洗浄部材と乾燥部材を備えて、洗車機本体１と被洗浄車両ＣＡとを前後方向に相対移動させながら、被洗浄車両ＣＡの洗車を行う洗車機である。そのために、車輪３を介してレール２上に沿って走行移動する門型の洗車機本体１に、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部の足回りを洗浄する左右一対のロッカーブラシ６を同様に備えている。
【００２９】
ただ、各種液剤を貯液するタンク収納部５０に、蛍光剤入りの特殊洗剤を収納した特殊洗剤収納部５０Ａを設け、洗車機本体１に、通常の照明装置に加えてブラックライト９を配設して、蛍光剤入りの特殊洗剤を用いた洗車を行う構成としたことが異なる。また、蛍光剤入りの特殊洗剤を用いた特殊洗浄コースは、リモートパネル７ＡＡを介して設定可能としている。
【００３０】
本実施形態のリモートパネル７ＡＡは、選択可能な洗車モードの中に、蛍光剤入りの特殊洗剤を用いた特殊洗浄コースを設けている。そのために、ユーザーが、通常の洗剤を用いた洗車、もしくは、特殊洗剤を用いた洗車のいずれを選択するかは、リモートパネル７ＡＡにて設定することができる。
【００３１】
ユーザーがリモートパネル７ＡＡにて蛍光剤入りの特殊洗剤を用いた特殊洗浄コースを選択すると、特殊洗剤収納部５０Ａに収納された特殊洗剤が分配配管部５１を介して所定の洗浄液としてノズルから噴霧される。また、特殊洗浄コースが選択されると、所定のタイミングでブラックライト９を点灯する構成としている。
【００３２】
これは、特殊洗剤が含有する蛍光剤にブラックライト９が発する紫外光を照射して励起光を発光させるためである。この構成であれば、所定のタイミングでブラックライト９を照射することで、噴霧されて泡状に付着したり流れ落ちたりする洗浄液の動きや、トップブラシ４やサイドブラシ５などの回転ブラシによって弾き飛ばされる洗浄液の動きに応じて変化する青白い蛍光を発光して、幻想的なショーアップ効果を図ることが可能となる。
【００３３】
洗浄液は被洗浄車両ＣＡの周囲に噴霧されるので、ブラックライト９は被洗浄車両ＣＡの周囲を照射する位置に配設することが好ましい。そのために、被洗浄車両ＣＡを跨ぐように門型とされている本実施形態の洗車機ＷＡＡの場合には、図２に示すように、門型の３面に当る左右両側部と上面部に配設する構成としている。この構成であれば、左右両側部に設けるブラックライト９Ａ、９Ｂが車両の両側面をそれぞれ照射し、上面部に設けるブラックライト９Ｃが車両の上面を照射することができ、蛍光剤を含む洗浄液を車両の周囲に噴霧することで、車両の表面を青白く浮かび上がらせることができる。
【００３４】
前記した所定のタイミングは、特殊洗剤が噴霧され、つまり、蛍光剤を含む洗浄液が噴霧され、回転ブラシにより洗浄され、洗浄水を噴霧してすすぐまでの洗浄工程期間であることが好ましい。この構成であれば、蛍光剤が車両表面もしくは回転ブラシの表面に付着して回転しているタイミングでブラックライトを照射して、車両外観やブラシの外観を青白く発光させることができ、効果的なショーアップ効果を発揮することができる。
【００３５】
また、前記所定のタイミングは、特殊洗剤が噴霧されてから、つまり、蛍光剤を含む洗浄液が噴霧されてからの所定長さの一定時間であってもよい。この構成であれば、蛍光剤が車両の表面、もしくは車両近辺にあると想定される一定の時間帯でブラックライトを点灯させて、それ以外の時間帯ではブラックライトを消灯するので、ブラックライトの連続点灯時間を所定長さに抑制でき、ブラックライトの寿命を延ばすことができる。この場合でも、蛍光剤を含む洗浄液が噴霧されてからの所定時間は、ブラックライトを照射して、車両外観やブラシの外観を青白く発光させることができる。
【００３６】
また、回転ブラシの動きをショーアップ効果に利用する場合には、前記所定のタイミングを、回転ブラシの駆動が開始されてからの所定長さの一定時間としてもよく、この構成であれば、ブラシが回転するダイナミックな動きに合わせてブラシの表面を青白く発光させることができ、効果的なショーアップ効果を発揮することができる。
【００３７】
また、ブラックライト９が点灯しているときには、通常の照明装置を消灯するかもしくは暗くすることが好ましい。この構成であれば、蛍光剤の発光をより効果的に視認することができ、さらに効果的なショーアップ効果を発揮することができる。また、被洗浄車両ＣＡの前方側に設置しているＬＥＤ表示灯なども消灯するか暗くすることが好ましい。
【００３８】
蛍光剤にブラックライトを照射して発光させる発光効果を発揮するには、薄暗い時や夜間などの周囲環境が暗い時が好ましい。そのために、周囲環境の明るさを検知する照度センサを設けて、この照度センサが検知する照度が所定照度以下となったときに、前述した特殊洗浄コースの選択を許可する構成とすることが好ましい。本実施形態では、リモートパネル７Ａに照度センサ１０を設けて、ユーザーが特殊洗浄コースを選択したときに、照度センサ１０が検知する照度を予め設定する所定照度と比較して、所定照度以下であることが確認された後で特殊洗浄コースの選択を許可する構成としている。この構成であれば、蛍光剤の発光を視認困難で十分な発光効果が得られないと想定される明るさでは、特殊洗浄コースを許可しないので、蛍光剤入りの特殊洗剤の効率的活用が図れると共に、ユーザーに余分な出費を負担させない洗車機となって好ましい。
【００３９】
蛍光剤は洗浄液に含有されているので、洗浄液が車両表面に付着している間、また、洗浄液が泡状となって車両表面に付着している間は車両表面にあり、この洗浄液や泡を水洗いしてすすぎを行うと、車両表面から流れ落ちていく。そのために、特殊洗浄コースの後で水を噴霧して水洗いを行うすすぎ工程を行う場合には、特殊洗浄コースの開始と共にブラックライト９を点灯し、すすぎ工程が開始されてからも所定時間はブラックライト９の点灯を持続し所定時間経過後に、ブラックライト９を消灯することが好ましい。この構成であれば、水洗い状態でも当初の所定時間内ではブラックライト９を点灯するので、車両表面および床面に沿って流れる蛍光剤を青白く発光させてショーアップ効果を発揮することができる。
【００４０】
また、ブラックライト９を点滅させて、青白く発光させる面を連続的に、また断続的に変化させて、効果的なショーアップ効果を発揮することができる。３面のブラックライト９Ａ、９Ｂ、９Ｃを備えた構成であれば、これら３面のブラックライト９Ａ、９Ｂ、９Ｃを同時に、また、交互に点滅させることで、さらに効果的なショーアップ効果を発揮することができる。
【００４１】
また、特殊洗浄コースとすすぎ工程との間に所定の待機期間を設ける構成としてもよい。この構成であれば、車両表面に付着した蛍光剤や泡状となった洗浄液をそのまま付着させてブラックライトを照射することで、車両の外観に沿って光ったり、泡の表面が光って車両外観形状に沿った蛍光泡を現出したりして幻想的なショーアップ効果を発揮することができる。
【００４２】
また、特殊洗浄コースの後、すすぎ工程に至る相対移動の走行速度を低速にしてもよく、洗車機本体１を走行して洗車を行う本実施形態では、すすぎ工程に至る洗車機本体１を低速走行して、車両表面に付着した蛍光剤や泡状の洗浄液を照明して、車両外観形状に沿った蛍光泡を比較的長い時間現出して、ショーアップ効果を発揮することができる。
【００４３】
前記待機期間中、もしくは、低速走行移動中にブラックライト９を点滅させてもよい。ブラックライト９を点滅させると、青白く光る蛍光泡が断続的に現出して、さらに効果的なショーアップ効果を発揮することが可能となる。
【００４４】
次に、図３を用いて特殊洗浄コースを選択するシステムについて説明する。
【００４５】
この図３に示す洗車ステーションＷＳに設置されている洗車機ＷＡＡはドライブスルー方式であって、被洗浄車両ＣＡは開閉ゲート６１から矢印Ｄ１に沿って進入し、洗車位置に停止した後、洗車機本体１がレール２に沿って往復移動して洗車を行い、洗車終了後に矢印Ｄ２に沿って退出する構成である。また、開閉ゲート６１の手前にリモートパネル７ＡＡが設置された待機ステーションＳＴ１が設けられている。そのために、被洗浄車両ＣＡが洗車中に、次の被洗浄車両ＣＡ１がこの待機ステーションＳＴ１に停車して、リモートパネル７ＡＡに自分の所望する洗車モードの設定を行うことができる。
【００４６】
リモートパネル７ＡＡには、各種洗車モードを選択する選択ボタンや、洗車速度を設定する設定ボタンや、スタート・ストップボタンなどが設けられている。また、本実施形態のリモートパネル７ＡＡには、この洗車モードを選択する選択ボタンの中に、蛍光剤入りの特殊洗剤を用いた特殊洗浄コースを選択可能とする選択ボタンが設けられている。
【００４７】
また、このリモートパネル７ＡＡには、前述した照度センサ１０が設けられている。この照度センサ１０は、周囲環境の明るさを検知する機能を有する。そのために、該照度センサ１０が検知する明るさ（照度）を用いて、蛍光剤入りの特殊洗剤を用いた特殊洗浄コースが有効であるかどうかを判定することが可能となる。本実施形態においては、照度センサ１０が検知する照度が所定照度以下であるときに、前記特殊洗浄コースの選択を許可する構成としている。
【００４８】
上記の構成であれば、待機ステーションＳＴ１に停車してリモートパネル７ＡＡに自分の所望する洗車モードの設定を行うユーザーが、蛍光剤入りの特殊洗剤を用いた特殊洗浄コースを選択しても、周囲が明るい場合は、特殊洗浄コースが有効ではないと判定して、その旨をユーザーに報知することができ、ユーザーに新たな標準的な洗浄モードを勧めることができる。
【００４９】
ユーザーが特殊洗浄コースを選択し、周囲が十分に暗い場合には、このリモートパネル７ＡＡの特殊洗浄コースの選択が許可される。また、設定確認ボタンを設けて、周囲が明るくても、ユーザーが強く希望すれば特殊洗浄コースを可能にする構成としてもよい。特殊洗浄コースが許可された状態で、先に進入して洗車を行っている被洗浄車両ＣＡの洗車が終了して退出すると、開閉ゲート６１が開いて、待機中の被洗浄車両ＣＡ１の洗車ステーションＷＳへの進入が可能となる。新たな被洗浄車両ＣＡ１が所定の位置に到達して停車したことが検知されると、先に設定した所定の洗車モードによる洗車が実行される。
【００５０】
この際に、蛍光剤入りの特殊洗剤を用いた特殊洗浄コースが設定されている場合は、通常の照明装置を消灯し、予め設定される所定時間でブラックライト９（９Ａ、９Ｂ、９Ｃ）を点灯する構成としている。この構成であれば、車両表面に噴霧する洗浄液中の蛍光剤や、噴霧された洗浄液が泡状となって車両表面に付着した泡の表面の蛍光剤が青白い蛍光を発光して、車両の外観形状に沿った蛍光泡を現出することができ、幻想的なショーアップ効果を発揮することができる。
【００５１】
また、回転するブラシに付着した蛍光剤も発光するので、回転するブラシの表面も青白く発光して、動きのある効果的なショーアップ効果を発揮する。また、流れ落ちる洗浄水に含まれる蛍光剤も青白く発光するので、排水孔に流れていく洗浄水も動きのある効果的なショーアップ効果を発揮する。これらの、回転ブラシの発光や排出される洗浄水の発光は、車内からも視認可能であって、被洗浄車両ＣＡ１の車内にユーザーが乗車したまま洗車を行う構成であっても、十分ショーアップ効果を実感することができる。
【００５２】
ここでは、ブラックライト９（９Ａ、９Ｂ、９Ｃ）を洗車機本体１の被洗浄車両ＣＡの退出側の３面に設けているが、この場所以外にも設置してもよく、例えば、洗車機本体１の周囲に立設する照明灯の支柱や、走行移動する洗車機本体１に給水するための給水ホースを進退自在に支持するブーム（不図示）等に設けても良い。この場合でも、特殊洗剤が噴霧されるときから、回転ブラシの駆動が停止され水によるすすぎが終わるまでの洗浄工程期間内に点灯させることは同じである。
【００５３】
また、洗車機本体１が走行移動して洗車を行う構成に替えて、洗車機本体１を固定して、コンベア等の車両移動手段を用いて被洗浄車両ＣＡを移動させて洗車を行う形式に、本発明に係る蛍光剤入りの特殊洗剤を用いた特殊洗浄コースとブラックライトを設ける構成であってもよい。
【００５４】
上記したように、本発明に係る洗車機によれば、蛍光剤入りの特殊洗剤を用いた特殊洗浄コースを選択したときにブラックライトを点灯する構成としたので、洗車中の洗浄液やブラシの動きに応じて変化する発光や照明を利用して洗車工程のショーアップ効果を発揮可能な洗車機を得ることができる。
【００５５】
また、照度センサを設けて周囲の明るさを検知し、蛍光剤の発光を視認困難な明るさでは、特殊洗浄コースを許可せず、周囲が暗いときに特殊洗浄コースを許可する構成とすることで、ショーアップ効果が期待できないときには特殊洗浄コースを行わずに、蛍光剤入りの特殊洗剤の効率的活用を図りユーザーに余分な出費を負担させない洗車機となる。
【００５６】
また、蛍光剤入りの洗剤を用いた特殊洗浄コースを選択可能にして差別化を図り有料化を確立することで、洗車機の売り上げをアップすることができる。さらに、ブラックライトの点灯時間を制限することで、ブラックライトの寿命を延ばすことができる。
【産業上の利用可能性】
【００５７】
本発明に係る洗車機は、洗車中に蛍光泡を現出してショーアップ効果を発揮するので、洗車を楽しいものとしてユーザーに勧めることができ、洗車中にユーザーを退屈させない効果が求められる洗車機に好適に適用される。
【符号の説明】
【００５８】
１    洗車機本体
２    レール
３    車輪
５    サイドブラシ
７    操作パネル
７Ａ    リモートパネル
７ＡＡ  リモートパネル
９    ブラックライト
１０    照度センサ
ＣＡ    被洗浄車両
ＷＡ    洗車機
ＷＡＡ  洗車機
【図１】
2011046330.tif 000003
【図２】
2011046330.tif 000004
【図３】
2011046330.tif 000005
【図４】
2011046330.tif 000006